(57)【要約】【課題】プロテクタ自体に特別な構成を付加しなくても、簡単に分岐線引出口から外部に引き出した分岐線の引き出し寸法をバラツキなく統一することのできるワイヤハーネス用プロテクタの分岐線引出構造を提供する。【解決手段】ワイヤハーネスＷを収容するプロテクタ１０に分岐線引出口１３を設け、その分岐線引出口１３から、ワイヤハーネスの幹線Ｗａより分岐させた分岐線Ｗｂを外部に引き出したワイヤハーネス用プロテクタの分岐線引出構造において、前記プロテクタ内の分岐線引出口１３の直前で、幹線Ｗａに分岐線Ｗｂを結束バンド２０を用いて固定した。【選択図】図１
2010206987.tif 000002
【特許請求の範囲】
【請求項１】
ワイヤハーネスを収容するプロテクタに分岐線引出口を設け、その分岐線引出口から、前記ワイヤハーネスの幹線より分岐させた分岐線を外部に引き出したワイヤハーネス用プロテクタの分岐線引出構造において、
前記プロテクタ内の前記分岐線引出口の直前で、前記幹線に前記分岐線を固定具を用いて固定したことを特徴とするワイヤハーネス用プロテクタの分岐線引出構造。
【請求項２】
請求項１に記載のワイヤハーネス用プロテクタの分岐線引出構造であって、
前記固定具として結束バンドを用いて、前記幹線に前記分岐線を固定したことを特徴とするワイヤハーネス用プロテクタの分岐線引出構造。
【請求項３】
請求項２に記載のワイヤハーネス用プロテクタの分岐線引出構造であって、
前記プロテクタの内部に、前記結束バンドを用いて前記幹線に前記分岐線を固定した部分を収容するための部屋が設けられており、該部屋の前後を仕切る仕切壁に、前記結束バンドの位置を規制すると共に前記ワイヤハーネスの挿通する凹部が設けられていることを特徴とするワイヤハーネス用プロテクタの分岐線引出構造。
【発明の詳細な説明】
【技術分野】
【０００１】
本発明は、ワイヤハーネス用プロテクタ内で分岐されてプロテクタの外部に引き出された分岐線の引出構造に関するものである。
【背景技術】
【０００２】
自動車においては、搭載される各種の電装品の配線に用いられるワイヤハーネスを保護するために、ワイヤハーネスを収容する合成樹脂製のプロテクタが広く使用されている。
【０００３】
この種のプロテクタには、一般的に、上面が開口された樋形状のもの、その樋形状の本体の開口面を塞ぐように蓋を設けたものなどがある。このようなプロテクタに収容するワイヤハーネスに分岐線が存在するような場合、プロテクタ１の壁部に分岐線引出口を設け、その分岐線引出口からワイヤハーネスの分岐線を外部に引き出している。
【０００４】
この際、分岐線引出口の外側には、通常、テープ巻き用の固定ベラが設けてあり、その固定ベラにテープを巻いて固定することにより分岐線をプロテクタ外部に引き出している。こうすることで、プロテクタから分岐線の端末に接続するコネクタまでの引き出し寸法を精度よく設定寸法に合わせることができる。
【０００５】
ところで、ワイヤハーネスを搭載する自動車の車種などによるスペース上の都合から、分岐線引出口の外側に固定ベロを設けることができない場合がある。そのような場合は、図２に示すように、プロテクタ１の分岐線引出口４から引き出したワイヤハーネスＷの分岐線Ｗｂの引き出し長さＬがバラツキやすく、プロテクタ１からコネクタＣまでの寸法が指示寸法通りになりにくい問題がある。
【０００６】
そこで、例えば、特許文献１に記載されたプロテクタのように、分岐線引出口の近くのプロテクタ内の底壁に引掛棒を突設し、この引掛棒に分岐線を引っ掛けることで、分岐線の引き出し長さを規制するようにしたものが提案されている。
【先行技術文献】
【特許文献】
【０００７】
【特許文献１】特開平１１−１５５２１６号公報（図８）
【発明の概要】
【発明が解決しようとする課題】
【０００８】
しかし、引掛棒のような固定物をプロテクタに設けた場合、プロテクタ自体の構成が複雑になるという問題がある。
【０００９】
本発明は、上記事情を考慮し、プロテクタ自体に特別な構成を付加しなくても、簡単に分岐線引出口から外部に引き出した分岐線の引き出し寸法をバラツキなく統一することのできるワイヤハーネス用プロテクタの分岐線引出構造を提供することを目的とする。
【課題を解決するための手段】
【００１０】
上記課題を解決するために、請求項１の発明は、ワイヤハーネスを収容するプロテクタに分岐線引出口を設け、その分岐線引出口から、前記ワイヤハーネスの幹線より分岐させた分岐線を外部に引き出したワイヤハーネス用プロテクタの分岐線引出構造において、前記プロテクタ内の前記分岐線引出口の直前で、前記幹線に前記分岐線を固定具を用いて固定したことを特徴とする。
【００１１】
請求項２の発明は、請求項１に記載のワイヤハーネス用プロテクタの分岐線引出構造であって、前記固定具として結束バンドを用いて、前記幹線に前記分岐線を固定したことを特徴とする。
【００１２】
請求項３の発明は、請求項２に記載のワイヤハーネス用プロテクタの分岐線引出構造であって、前記プロテクタの内部に、前記結束バンドを用いて前記幹線に前記分岐線を固定した部分を収容するための部屋が設けられており、該部屋の前後を仕切る仕切壁に、前記結束バンドの位置を規制すると共に前記ワイヤハーネスの挿通する凹部が設けられていることを特徴とする。
【発明の効果】
【００１３】
請求項１の発明によれば、プロテクタ内の分岐線引出口の直前で、ワイヤハーネスの幹線に分岐線を固定具を用いて固定しているので、プロテクタ自体に分岐線を固定するための固定ベロ（テープ巻き用の舌片）や引掛棒などを設けなくても、簡単に分岐線引出口から引き出した分岐線の引き出し寸法をバラツキなく統一することができる。
【００１４】
請求項２の発明によれば、固定具として結束バンドを用いてワイヤハーネスの幹線に分岐線を固定しているので、コストを抑えながら簡単に、分岐線の引き出し長さの統一を図ることができる。
【００１５】
請求項３の発明によれば、プロテクタの内部に、結束バンドを用いて幹線に分岐線を固定した部分を収容するための部屋が設けられており、該部屋の前後を仕切る仕切壁に、結束バンドの位置を規制すると共にワイヤハーネスの挿通する凹部が設けられているので、結束バンドで固定した部分を動かないように規制しておくことができる。
【図面の簡単な説明】
【００１６】
【図１】本発明の実施形態のワイヤハーネス用プロテクタの分岐線引出構造を示す平面図である。
【図２】従来のプロテクタを用いた分岐線引出構造の斜視図である。
【発明を実施するための形態】
【００１７】
以下、本発明の実施形態を図面を用いて説明する。
【００１８】
図１は実施形態のワイヤハーネス用プロテクタの分岐線引出構造の平面図である。
【００１９】
図１に示すように、合成樹脂製のプロテクタ１０は、底壁１１と両側壁１２を有する樋形状に形成されており、一方の側壁１２の長さ方向の略中間部に、分岐線引出口１３が設けられている。そして、その分岐線引出口１３から外部に向けて、プロテクタ１０の内部に収容したワイヤハーネスＷの幹線Ｗａから分岐する分岐線Ｗｂが引き出されている。
【００２０】
この場合、プロテクタ１０内において、分岐線引出口１３の直前で、幹線Ｗａに分岐線Ｗｂが結束バンド（固定具）２０を用いて固定されており、その上で分岐線Ｗｂが分岐線引出口１３から外部に導出されている。
【００２１】
また、プロテクタ１０の内部には、前後を仕切壁１６によって仕切られた部屋１５が設けられており、その部屋１５内に、結束バンド２０を用いて幹線Ｗａに分岐線Ｗｂを固定した部分が収容されている。部屋１５の前後を仕切る仕切壁１６の上縁には、結束バンド２０の位置を規制すると共にワイヤハーネスＷの挿通する凹部１６ａが設けられている。
【００２２】
また、ワイヤハーネスＷの幹線Ｗａは、プロテクタ１０の長さ方向の一端部に設けた固定片１８にテープＴを巻き付けることで、固定されている。
【００２３】
このように本実施形態のワイヤハーネス用プロテクタの分岐線引出構造によれば、プロテクタ１０内の分岐線引出口１３の直前で、ワイヤハーネスＷの幹線Ｗａに分岐線Ｗｂを結束バンド２０を用いて固定しているので、プロテクタ１０自体に分岐線Ｗｂを固定するための固定ベロ（テープ巻き用の舌片）や引掛棒などを設けなくても、簡単に分岐線引出口１３から引き出した分岐線Ｗｂの引き出し寸法Ｌをバラツキなく統一することができる。また、固定具として結束バンド２０を用いて幹線Ｗａに分岐線Ｗｂを固定しているので、コストを抑えながら簡単に分岐線Ｗｂの引き出し長さの統一を図ることができる。
【００２４】
また、プロテクタ１０の内部に、結束バンド２０を用いて幹線Ｗａに分岐線Ｗｂを固定した部分を収容するための部屋１５を設け、その部屋１５の前後を仕切る仕切壁１６に、結束バンド２０の位置を規制すると共にワイヤハーネスＷの挿通する凹部１６ａを設けているので、結束バンド２０で固定した部分を動かないように規制しておくことができ、精度の良いワイヤハーネスＷの配索が可能となる。
【００２５】
なお、上記実施形態では、固定具として結束バンド２０を用いた場合を示したが、それ以外の固定具を用いて幹線Ｗａに分岐線Ｗｂを固定してもよい。
【符号の説明】
【００２６】
Ｗ  ワイヤハーネス
Ｗａ  幹線
Ｗｂ  分岐線
１０  プロテクタ
１３  分岐線引出口
１５  結束バンド収容部屋
１６  仕切壁
１６ａ  凹部
２０  結束バンド（固定具）
【図１】
2010206987.tif 000003
【図２】
2010206987.tif 000004